【事件の表示】
　特許第３００８１０２号「パチンコ機」の請求項１に係る特許に対する特許異議の申立てについて、次のとおり決定する。
【結　論】
　訂正を認める。
　特許第３００８１０２号の請求項１に係る特許を取り消す。
【理　由】
１・手続の経緯
　特許第３００８１０２号の発明についての出願は、昭和６２年５月２８日に出願された実用新案登録出願（実願昭６２−７９９９０号）の一部が、（旧）実用新案法第９条第１項の規定で準用する特許法第４４条の規定により、平成３年５月２７日に新たな実用新案登録出願（実願平３−４６７５１号）とされ、この新たな実用新案登録出願が、特許法第４６条第１項の規定により、平成３年５月２８日に特許出願（特願平３−１５０９０７号）に変更され、この特許出願の一部が、特許法第４４条の規定により、平成８年３月１１日に新たな特許出願（特願平８−８２０３３号）とされ、この新たな特許出願の一部が、同規定により平成９年１月２７日に新たな特許出願（特願平９−２７１８８号）とされ、この新たな特許出願の一部が、同規定により、平成１０年９月２８日に新たな特許出願とされたものであって、平成１１年１２月３日にその発明について特許権の設定登録がなされ、その後、その特許について、特許異議申立人・細江裕実より特許異議の申立てがなされ、平成１２年１２月２２日付け取消しの理由が通知され、その指定期間内である平成１３年３月１２日に訂正請求（後日取下げ）がなされた後、平成１３年８月７日付けで再度の取消しの理由が通知され、その指定期間内である平成１３年１０月１６日に訂正請求がなされたものである。
２・訂正の適否についての判断
（１）訂正の内容
ア・訂正事項ａ
　「【請求項１】遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　パチンコ機の背面側に設けた制御装置と、遊技盤の背面側に設けた所定の図柄を表示する表示部を備える第１基板と、遊技盤の背面側に設けられ前記第１基板と電気的に接続されてマイクロコンピュータ並びに前記制御装置と接続する外部接続端子を背面側に搭載した処理部を設けた第２基板と、を備え、
　前記遊技盤の表面側には、遮蔽板により取付基板に凹所を形成すると共に該凹所に表示窓を有するセンター役物を設け、
　前記表示窓の背面側には、前記第１基板の表示部が臨むようにしたことを特徴とするパチンコ機。
【請求項２】前記制御装置はマイクロコンピュータ及びＲＯＭを備え、前記処理部は前記制御装置からデータを割込に基づいて入力するようにしたことを特徴とする請求項１に記載のパチンコ機。」とある特許請求の範囲の記載を、
「【請求項１】遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　パチンコ機の背面側に設けられ、センター役物、電子音発生回路、ランプ表示器など遊技の制御を行う制御装置と、遊技盤の背面側に設けられ所定の図柄を表示する表示部を備える第１基板と、遊技盤の背面側に設けられ前記第１基板と電気的に接続されてマイクロコンピュータ並びに前記制御装置と接続する外部接続端子を背面側に搭載し、該外部接続端子を介して前記制御装置からのデータに基づいて所定の図柄表示に関する制御を行う処理部を設けた第２基板と、を備え、
　前記遊技盤の表面側には表示窓を有するセンター役物を設け、該センター役物は取付板に連続して設けた縮径する遮蔽板により凹所を形成すると共に該凹所に表示窓を設け、
　前記表示窓の背面側には、前記第１基板の表示部の前面に設けた透光性のカバー部材が臨むようにしたことを特徴とするパチンコ機。
【請求項２】前記制御装置はマイクロコンピュータ及びＲＯＭを備え、前記処理部は前記制御装置からデータを割込に基づいて入力するようにしたことを特徴とする請求項１に記載のパチンコ機。」と訂正する。
イ・訂正事項ｂ
　明細書の段落【０００４】の記載について、
「・・・パチンコ機の背面側に設けた制御装置と、遊技盤の背面側に設けた所定の図柄を表示する表示部・・・外部接続端子を背面側に搭載した処理部・・・遊技盤の表面側には、遮蔽板により取付基板に凹所を形成すると共に該凹所に表示窓を有するセンター役物を設け、前記表示窓の背面側には、前記第１基板の表示部が臨むようにした・・・」とあるのを、
「・・・パチンコ機の背面側に設けられ、センター役物、電子音発生回路、ランプ表示器など遊技の制御を行う制御装置と、遊技盤の背面側に設けられ所定の図柄を表示する表示部・・・外部接続端子を背面側に搭載し、該外部接続端子を介して前記制御装置からのデータに基づいて所定の図柄表示に関する制御を行う処理部・・・遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした・・・」と訂正する。
ウ・訂正事項ｃ
　明細書の段落【００２１】の記載について、
「・・・パチンコ機の背面側に設けた制御装置と、遊技盤の背面側に設けた所定の図柄を表示する表示部・・・外部接続端子を背面側に搭載した処理部・・・遊技盤の表面側には、遮蔽板により取付基板に凹所を形成すると共に該凹所に表示窓を有するセンター役物を設け、前記表示窓の背面側には、前記第１基板の表示部が臨むようにした・・・」とあるのを、
「・・・パチンコ機の背面側に設けられ、センター役物、電子音発生回路、ランプ表示器など遊技の制御を行う制御装置と、遊技盤の背面側に設けられ所定の図柄を表示する表示部・・・外部接続端子を背面側に搭載し、該外部接続端子を介して前記制御装置からのデータに基づいて所定の図柄表示に関する制御を行う処理部・・・遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした・・・」と訂正する。
（２）訂正の目的の適否、新規事項の有無及び拡張・変更の存否
　上記訂正事項ａは、発明を特定する事項である「・・・パチンコ機の背面側に設けた制御装置と、遊技盤の背面側に設けた所定の図柄を表示する表示部・・・外部接続端子を背面側に搭載した処理部・・・遊技盤の表面側には、遮蔽板により取付基板に凹所を形成すると共に該凹所に表示窓を有するセンター役物を設け、前記表示窓の背面側には、前記第１基板の表示部が臨むようにした・・・」をこれに含まれる事項である「・・・パチンコ機の背面側に設けられ、センター役物、電子音発生回路、ランプ表示器など遊技の制御を行う制御装置と、遊技盤の背面側に設けられ所定の図柄を表示する表示部・・・外部接続端子を背面側に搭載し、該外部接続端子を介して前記制御装置からのデータに基づいて所定の図柄表示に関する制御を行う処理部・・・遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした・・・」に変更し、しかも、「パチンコ機の背面側に設けられ、センター役物、電子音発生回路、ランプ表示器など遊技の制御を行う制御装置と、遊技盤の背面側に設けられ所定の図柄を表示する表示部」の点については、明細書の段落【００１１】の「メインＭＣＵ１７にはセンター役物１８などに設けた継続スイッチ１９，１０カウントスイッチ２０，始動口スイッチ２１，駆動ソレノイド２２，あるいは電子音発生回路２３，ランプ表示器２４などパチンコ遊技の制御を受け持たせる」に、「外部接続端子を背面側に搭載し、該外部接続端子を介して前記制御装置からのデータに基づいて所定の図柄表示に関する制御を行う処理部」の点については、明細書の段落【０００９】の「第２基板３の一縁には外部接続端子１４を設けて、この外部接続端子１４を介してパチンコ機１５の遊技制御を行う第１の制御装置１６に接続可能とする」及び段落【０００５】の「第２基板３には、パチンコ遊技の制御を行う第１の制御装置から単一方向にのみ送られるデータに基づいて複数の図柄を変動表示可能な第２の制御装置、即ちサブＭＣＵ（マイクロコンピュータユニット）５を有する表示処理部６を形成する。この表示処理部６では、前記第１の制御装置より不可逆的に送られるデータに基づいて図柄に変換する処理が実行される」に、「遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした」点については、明細書の段落【００１６】の「センター役物１８は、取付板２５の中程に横に並ぶ３つの表示窓２６を有し、各表示窓２６には前記表示基板４が臨む。表示窓２６と表示基板４との間には、表示基板４側を縮径させた遮蔽板２７を上記取付板２５から連続して設ける」及び段落【０００７】の「表示基板４の前面に透光性のあるカバー部材１０を被着している」に、それぞれ記載されているものと認められるので、特許請求の範囲の減縮を目的とした明細書の訂正に該当し、又、上記訂正事項ｂ及びｃは、上記訂正事項ａと整合を図るものであるから、明りょうでない記載の釈明を目的とした明細書の訂正に該当し、何れも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
３・特許異議の申立てについての判断
（１）本件発明
　上記２・で示したように上記訂正が認められるから、本件発明の要旨は、上記訂正に係る訂正明細書の特許請求の範囲の請求項１に記載された事項により特定されるとおりのものである。（上記２・（１）ア・訂正事項ａ参照）
（２）引用刊行物に記載された発明
　当審が平成１３年８月７日付けで通知した取消しの理由で引用した、本件出願前に国内において頒布された刊行物である実願昭５８−１９９９５４号（実開昭６０−１０９６８３号）のマイクロフィルム（以下、「刊行物１」という）には、
特に、
（ア）「第９図は制御装置の概略を示したもので、第１ゲーム装置駆動制御部１００，第２ゲーム装置駆動制御部２００，変動入賞装置５に対する駆動制御部３００，そして効果音やランプ等に対する駆動制御部４００を有する」（明細書第１４頁第３乃至７行）、「液晶で表示される画像（ピッチャー、キャッチャー、野手、バッター）」（明細書第１３頁第１９行乃至第１４頁第１行）、「特定入賞装置（特定入賞口６）へ入賞したとき第１ゲーム装置のルーレット２を作動させ・・・第１ゲーム装置の表示態様の連続的作動（点灯位置の移動）を停止させる・・・第２ゲーム装置駆動制御部２００は、第１ゲーム装置の表示態様の連続的作動が停止したときその停止時の表示態様の重み・・・を判別する・・・判別結果に対応して、前記第２ゲーム装置のゲームの進行を指示する予め複数設定された作動情報のいずれかを選択する・・・選択された作動情報に従って第２ゲーム装置のゲームの進行を・・・行なわせしめる・・・変動入賞装置駆動制御部３００は、第２ゲーム装置での表示態様が所定の賞態様を形成・・・したとき所定期間だけ変動入賞装置５を開状態に変換する・・・変動入賞装置が開状態に在る間第２ゲーム装置のゲーム進行（ランナの移動）を停止させる」（明細書第１４頁第８行乃至第１５頁第１１行）、「液晶駆動基板４３０には、上記ゴムコネクタ４７と対応する位置にドライバ（ＩＣ）４８が設けてある」（明細書第１１頁第２乃至５行）及び「液晶表示パネル４１の電極は、ゴムコネクタ４７を介してドライバ（ＩＣ）４８と電気的に接続される」（明細書第１１頁第８乃至１０行）の記載から、
制御装置が特定入賞口６における球の検出に基づいてランナを移動させ、所定の賞態様の形成により所定期間だけ変動入賞装置５を開状態に変換する遊技を行い、又、ゲーム盤４と変動入賞装置５とを有するユニット、効果音駆動部、ランプ表示器など遊技の制御を行い、ドライバ（ＩＣ）４８が前記制御装置からの作動情報に基づいて液晶画像パネル４１にランナの表示を行っているものと認められること、
（イ）上記（ア）の明細書第１１頁第２乃至５行及び明細書第１１頁第８乃至１０行並びに図面第４，５，７及び９図の記載から、
遊技盤２の背面側に設けられた液晶表示パネル４１と遊技盤２の背面側に設けられた液晶駆動基板４３０とが電気的に接続され、該液晶駆動基板４３０の背面側に制御装置と接続するための接続線が搭載されているものと認められること、
（ウ）図面第４図の記載から、
筒体２４が縮径しているものと認められること、
からみて、
「遊技者が発射装置で弾発した打球が遊技盤２に設けられた特定入賞口６における球の検出に基づいてランナを移動させ、所定の賞態様の形成により所定期間だけ変動入賞装置５を開状態に変換する遊技を行う制御装置を備えるパチンコ機において、
　ゲーム盤４と変動入賞装置５とを有するユニット、効果音駆動部、ランプ表示器など遊技の制御を行う制御装置と、遊技盤２の背面側に設けられランナ等を表示する液晶画像パネル４１と、遊技盤２の背面側に設けられ前記液晶画像パネル４１と電気的に接続されて前記制御装置と接続する接続線を背面側に搭載し、該接続線を介して前記制御装置からの作動情報に基づいてランナ等の表示を行うドライバ（ＩＣ）４８を設けた液晶駆動基板４３０と、を備え、
　前記遊技盤２の表面側には開口（窓）２３を有するゲーム盤４と変動入賞装置５とを有するユニットを設け、該ゲーム盤４と変動入賞装置５とを有するユニットはユニット基板２２に設けた縮径する筒体２４により凹室３０を形成すると共に該凹室３０に開口（窓）２３を設け、
　前記開口（窓）２３の背面側には、前記液晶画像パネル４１が臨むクリアプレート３１を設けたパチンコ機」を構成とする発明が、
同じく本件出願前に国内において頒布された刊行物である特開昭５９−１０５４７６号公報（以下、「刊行物２」という）には、
「パチンコ機の背面側に設けられ、電動入賞装置１２など遊技の制御を行う電子制御回路と、遊技盤３の背面側に設けられ前記電子制御回路と接続するターミナル１７と、を備えたパチンコ機」を構成とする発明が、
同じく本件出願前に国内において頒布された刊行物である実願昭５８−１９８８６３号（実開昭６０−１０６６７０号）のマイクロフィルム（以下、「刊行物３」という）には、
「パチンコ機の背面側に設けられ遊技の制御を行うコントロール機器を備えたパチンコ機」を構成とする発明が、
同じく本件出願前に国内において頒布された刊行物である実願昭５９−１６２３３０号（実開昭６１−７７０７８号）のマイクロフィルム（以下、「刊行物４」という）には、
特に、
図面第２図の記載から、
前板２１に、該前板２１に連続して縮径する遮蔽板が設けられ、該縮径する遮蔽板により凹所が形成されているものと認められること、
からみて、
「パチンコ機の背面側に設けられ、表示装置７など遊技の制御を行う制御回路３３と、遊戯盤１の背面側に設けられボクシングの画像９とバーグラフ１０を表示する液晶板１２を備えるカセット１５と、該カセット１５に設けられ前記液晶板１２と電気的に接続されて液晶駆動回路１６並びに前記制御回路３３と接続するソケット３５と、を備え、
　前記遊戯盤１の表面側には開口２４を有する表示装置７を設け、該表示装置７は前板２１に連続して設けた縮径する遮蔽板により凹所を形成すると共に該凹所に開口２４を設け、
　前記開口２４の背面側と前記カセット１５の液晶板１２の前面との間には、ガラス板２３が設けられたパチンコ機」を構成とする発明が、
同じく本件出願前に国内において頒布された刊行物である特開昭６１−２６５１６１号公報（以下、「刊行物５」という）には、
特に、
（ア）「停止後の表示数字の組合せが予め約定した出目になると、これによって特定態様が発生される」（第５頁左下欄第１１乃至１３行）の記載、
（イ）「効果音は・・・電子的に発生され」（第６頁右上欄第２０行、左下欄第１行）の記載、
（ウ）「凹部形成壁４２を奧から前面側に向けて末広がり状に傾斜させ」（第９頁右下欄第２，３行）及び第４，５図（第２６頁）の記載、
からみて、
「遊技者が発射装置で弾発した打球が遊技盤１に設けられた特定入賞口７，８における球の検出に基づいて数字を変動させ、表示数字の組み合わせが予め約定した出目になると特定態様が発生する遊技を行う制御装置を備えるパチンコ遊技機において、
　可変表示装置４、電子的な音階発生手段２５７、記憶表示ランプＬＥＤ１〜４など遊技の制御を行う制御装置と、遊技盤１の背面側に設けられ数字を表示する可変表示部材４７と、を備え、
　前記遊技盤１の表面側には表示窓部４６ｂを有する可変表示装置４を設け、該可変表示装置４は交流面４１に固定された奧から前面側に向けて末広がり状に傾斜させた凹部形成壁４２により凹部４２ａを形成すると共に該凹部４２ａに表示窓部４６ｂを設け、
　前記表示窓部４６ｂの背面側には、可変表示部材４７の前面が臨むようにしたパチンコ遊技機」を構成とする発明が、
同じく本件出願前に国内において頒布された刊行物である実願昭５６−６６７８９号（実開昭５７−１８０３８１号）のマイクロフィルム（以下、「刊行物６」という）には、
特に、図面第１図の記載からみて、
「表示部２を備える印刷配線基板３と、該印刷配線基板３と電気的に接続されコネクタを背面側に搭載した印刷配線基板４と、を備えた表示装置」を構成とする発明が、
同じく本件出願前に国内において頒布された刊行物である特開昭６２−３８４９３号公報（以下、「刊行物７」という）には、
特に、第１及び２図（第４頁）の記載からみて、
「多数個の発光ダイオードが嵌め込まれたパネル１２を備えるプリント基板１５と、該プリント基板１５と電気的に接続され、駆動回路構成用の回路部品を設けたプリント基板１６と、を備え、
　前記プリント基板１５の多数個の発光ダイオードが嵌め込まれたパネル１２の貫通孔と合致する部分が光散乱性を有するプラスチックフィルム１８を設けたディスプレイ装置」を構成とする発明が、
同じく本件出願前に米国内に置いて頒布された刊行物である米国特許第４３６３４８５号明細書（クラス２７３）（以下、「刊行物８」という）には、
特に、第１０Ａ図及び第１０Ｂ図（何れもシート８）の記載からみて、
「プレイヤーがボールシュータ５０で弾発した打球によりプレイフィールドＰ上でゲームを行うコンピュータシステム１２０を備えるピンボールゲーム機において、
　ゲームの制御を行うコンピュータシステム１２０と、ＣＰＵ１２８’を有し、前記コンピュータシステム１２０からのデータに基づいて音発生に関する制御を行うピンボールゲーム機の音発生システムと、を備えたピンボールゲーム機」を構成とする発明が、
同じく本件出願前に米国内に置いて頒布された刊行物である米国特許第４５１７６５４号明細書（クラス３６４）（以下、「刊行物９」という）には、
特に、
（ア）「例えば、ピンボールマシンは今やビデオゲームであり、スロットマシンは今やビデオゲーム装置である」（第１欄下から第４８，下から第４７行）の記載から、
ビデオプロセシングアーキテクチャが、ピンボールゲーム或いはスロットゲーム等のゲーム用のものであるものと認められること、
（イ）「本発明は、入力バスから供給されるデータを受け取り、供給されたデータから画像を形成する技術に関する。そして、データがゲーム回路から供給されることを特徴とする。ゲームの動画と、ゲームの画像表示のためのデータは、図１に示すように、ビデオ中央処理装置（ＣＰＵ）１０に供給される。ＣＰＵは、ゲームの操作信号に基づいて、ビデオに関する全ての制御を行う」（第３欄下から第１９行乃至下から第１１行）、「ビデオプロセッサの制御下にある、ラッチされた画像アドレスキャラクタメモリ２８は、ビデオディスプレイ上に画像を形成するのに必要な実際のビデオ情報を提供する」（第５欄第６０行ないし６３行）、「ビデオプロセッサはゲームプロセッサアドレス線を含み、それによってビデオプロセッサはゲームプロセッサデータバスに接続される。ゲームプロセッサ（図示されていない）からのデータは、ビデオプロセッサ１０によってデータバスを介して受取られる。さらに、ビデオプロセッサはゲームプロセッサから割込みを受け、それによってビデオプロセッサはデータ処理の途中でゲームプロセッサのコマンドに応答することができる。ビデオプロセッサはゲームプロセッサデータバスにデータ出力信号を与えてビデオプロセッサの状態を示す。ビデオプロセッサがゲームプロセッサから命令を受け取ると、プログラムメモリ１９はアドレスラッチ１２を介してアドレス指定される。プログラムメモリ１９はビデオプロセッサを動作するための命令及びゲームプロセッサコマンドに従って図形画像を形成するための命令を含む。一旦アドレス指定されると、プログラムメモリによってビデオプロセッサが他のビデオプロセッサ回路に与えられるデータの形でコマンドを発生することができる」（第４欄第６３乃至第５欄第１４行）、図１（シート１）及び図２（シート２，３）の記載から、
ビデオプロセシングアーキテクチャが、ゲームの制御を行うゲーム回路と、画像を表示するビデオディスプレイと、中央処理装置（ＣＰＵ）１０を有し、前記ゲーム回路からのデータに基づいて画像表示に関する制御を行うビデオプロセッサ回路と、を備えているものと認められること、
からみて、
「ゲームを行うゲーム回路を備えるピンボールゲーム或いはスロットゲーム等のゲーム用ビデオプロセシングアーキテクチャにおいて、
　ゲームの制御を行うゲーム回路と、画像を表示するビデオディスプレイと、中央処理装置（ＣＰＵ）１０を有し、前記ゲーム回路からのデータに基づいて画像表示に関する制御を行うビデオプロセッサ回路と、を備えたピンボールゲーム或いはスロットゲーム等のゲーム用ビデオプロセシングアーキテクチャ」を構成とする発明が、
同じく本件出願前に国内で頒布された刊行物である実願昭６０−１４３０９号（実開昭６１−１３０２８３号）のマイクロフィルム（以下、「刊行物１０」という）には、
「遊技盤２０の表面側には窓部３ｉを有する打球入賞具３を設け、
　前記窓部３ｉの背面側には、表示器５の前面が臨むように半透明なプレート４を設けたパチンコ遊技機」を構成とする発明が、
それぞれ記載されているものと認められる。
（３）対比及び判断
　そこで、本件発明（前者）と刊行物１に記載された発明（後者）とを対比するに、
後者の
「特定入賞口６」、「ランナ」、「移動」、「所定の賞態様の形成により所定期間だけ変動入賞装置５を開状態に変換する」、「ゲーム盤４と変動入賞装置５とを有するユニット」、「効果音駆動部」、「液晶画像パネル４１」、「作動情報」、「液晶駆動基板４３０」、「開口（窓）２３」、「ユニット基板２２」、「筒体２４」、「凹室３０」及び「クリアプレート３１」
がそれぞれの機能に照らし、それぞれ
前者の
「始動口」、「図柄、所定の図柄」、「変動」、「所定条件の成立により遊技者に有利な入賞態様を付与する」、「センター役物」、「音発生回路」、「表示部」、「データ」、「第２基板」、「表示窓」、「取付板」、「遮蔽板」、「凹所」及び「透光性のカバー部材」
に相当するものと認められから、
両者は、
「遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　センター役物、音発生回路、ランプ表示器など遊技の制御を行う制御装置と、遊技盤の背面側に設けられ所定の図柄を表示する表示部と、遊技盤の背面側に設けられ前記表示部と電気的に接続されて前記制御装置と接続する接続に関わる部材を背面側に搭載し、該接続に関わる部材を介して前記制御装置からのデータに基づいて所定の図柄表示を行う表示装置に関わる部材を設けた第２基板と、を備え、
　前記遊技盤の表面側には表示窓を有するセンター役物を設け、該センター役物は取付板に設けた縮径する遮蔽板により凹所を形成すると共に該凹所に表示窓を設け、
　前記表示窓の背面側には、前記表示部の前面が臨む透光性のカバー部材が臨むようにしたパチンコ機」である、
点において一致し、
（１）制御装置が、
前者は、パチンコ機の背面側に設けられている、
のに対し、
後者は、何処に設けられているのか明らかではない、
（２）音発生回路が、
前者は、電子音を発生させる、
のに対し、
後者は、電子音を発生させるのかどうか明らかではない、
（３）表示部が、
前者は、第１基板に備えられている、
のに対し、
後者は、かかる構成を備えていない、
（４）接続に関わる部材が、
前者は、外部接続端子である、
のに対し、
後者は、接続線である、
（５）表示装置に関わる部材が、
前者は、所定の図柄表示に関する制御を行うマイクロコンピュータを有する処理部である、
のに対し、
後者は、所定の図柄表示を行うドライバ（ＩＣ）である、
（６）遮蔽板が、
前者は、取付板に連続して設けられている、
のに対し、
後者は、取付板に設けられている、
（７）カバー部材が、
前者は、表示部の前面に設けられている、
のに対し、
後者は、表示窓に設けられている、
点において相違するものと認められる。
　しかし、上記相違点（１）についてみるに、
上記相違点（１）の前者の「制御装置がパチンコ機の背面側に設けられている」という構成は、
刊行物２に記載された発明の
「電動入賞装置１２」、「電子制御回路」及び「ターミナル１７」
がそれぞれの機能に照らし、それぞれ
前者の
「センター役物」、「制御装置」及び「外部接続端子」
に相当するものと認められ、
又、
刊行物３に記載された発明の
「コントロール機器」
がその機能に照らし、
前者の
「制御装置」
に相当するものと認められ、
又、
刊行物４に記載された発明の
「制御回路３３」、「遊戯盤１」、「ボクシングの画像９とバーグラフ１０」、「液晶板１２」、「ソケット３５」、「開口２４」、「前板２１」及び「ガラス板２３」
がそれぞれの機能に照らし、それぞれ
前者の
「制御装置」、「遊技盤」、「所定の図柄」、「表示部」、「外部接続端子」、「表示窓」、「取付板」及び「透光性のカバー部材」
に相当するものと認められるから、
刊行物２乃至４に記載された各発明にも備わっているように周知の構成と認められるところ、
そもそも「制御装置」を「パチンコ機」のどの面に設けるにしろ、その面は、「パチンコ機」の上下左右前後（背）の６つの内にしかなく、前側に設けては遊技者の邪魔になり、且つ、防犯上も好ましくないのは明白であるから、上下左右後（背）の５つの内から選ばれることは技術常識であると認められる。
　しかして、「制御装置」を「パチンコ機の背面側」に設けるにつき、これを困難乃至不可能にする技術的理由があって前者がこれを解決したとか、或いは、前者が何か発明力を要する工夫をしたとかいうならともかく、「制御装置」を「パチンコ機の背面側」に設けること自体は、前記技術常識である上下左右後（背）の５つの内から背面側を選択したにすぎない単なる設計事項である。
　してみると、後者において、上記相違点（１）の前者の構成を採用することは、刊行物２乃至４に記載された各発明にも備わっているように、当業者が適宜選択し得る単なる設計事項にすぎない。
　上記相違点（２）についてみるに、
上記相違点（２）の前者の「音発生回路が電子音を発生させる」という構成は、例えば、
刊行物５に記載された発明の
「特定入賞口７，８」、「数字」、「表示数字の組み合わせが予め約定した出目になると特定態様が発生する」、「パチンコ遊技機」、「可変表示装置４」、「電子的な音階発生手段２５７」、「記憶表示ランプＬＥＤ１〜４」、「可変表示部材４７」、「表示窓部４６ｂ」、「交流面４１」、「奧から前面側に向けて末広がり状に傾斜させた」、「凹部形成壁４２」及び「凹部４２ａ」
がそれぞれの機能に照らし、それぞれ
前者の
「始動口」、「図柄」、「所定条件の成立により遊技者に有利な入賞態様を付与する」、「パチンコ機」、「センター役物」、「電子音発生回路」、「ランプ表示器」、「表示部」、「表示窓」、「取付板」、「縮径する」、「遮蔽板」及び「凹所」
に相当するものと認められるから、
刊行物５に記載された発明にも備わっているように、従来周知の構成であるものと認められる（必要なら、特開昭６１−２５９６８５号公報の第５頁右下欄第１１，１２行の「効果音は・・・電子的に発生され」、特開昭６１−２８４２７８号公報の第５頁左下欄第１９，２０行の「効果音は・・・電子的に発生され」を参照されたい）から、
後者に、例えば、刊行物５に記載された発明にも備わっている従来周知の構成を適用し、後者の音発生回路を、電子音を発生させるものとすることは、当業者が格別創意工夫を要することではないというべきである。
　又、上記相違点（２）の前者の効果が、後者及び例えば刊行物５に記載された発明にも備わっている従来周知の構成の各効果の総和以上の格別なものとも認められない。
　上記相違点（３）についてみるに、
刊行物６に記載された発明の、
「印刷配線基板３」、「コネクタ」及び「印刷配線基板４」
がそれぞれの機能に照らし、それぞれ
前者の
「第１基板」、「外部接続端子」及び「第２基板」
に相当するものと認められるから、
刊行物６に記載された発明には、
「表示部を備える第１基板と、該第１基板と電気的に接続され外部接続端子を背面側に搭載した第２基板と、を備えた表示装置」という構成、
又、
刊行物７に記載された発明の、
「多数個の発光ダイオードが嵌め込まれたパネル１２」、「プリント基板１５」、「プリント基板１６」及び「プラスチックフィルム１８」
がそれぞれの機能に照らし、それぞれ
前者の
「表示部」、「第１基板」、「第２基板」及び「透光性のカバー部材」
に相当するものと認められるから、
刊行物７に記載された発明には、
「表示部を備える第１基板と、該第１基板と電気的に接続された第２基板と、を備え、
　前記第１基板の表示部の前面に透光性のカバー部材を設けたディスプレイ装置」という構成、
すなわち、
刊行物６及び７に記載された各発明には、
上記相違点（３）の前者の「表示部が第１基板に備えられている」という構成が備わっているものと認められる。
　ところで、
刊行物６及び７に記載された各発明は、「表示装置」乃至「ディスプレイ装置」に関するものであって、「パチンコ機」に関するものではない。
　しかし、何れも、「表示部及び第２基板」を備える点で後者と共通し、しかも、刊行物６及び７に記載された各発明の「表示部が第１基板に備えられている」という構成を、後者の「パチンコ機」の「表示部」に適用するにつき、これを困難乃至不可能にする技術的理由があるとは認められないから、
後者に刊行物６及び７に記載された各発明の構成を適用し、後者において、別途第１基板を備え、後者の表示部をその第１基板に備えるようにすることは、当業者が格別創意工夫を要することではないというべきである。
　又、上記相違点（３）の前者の効果が、後者並びに刊行物６及び７に記載された各発明の各効果の総和以上の格別なものとも認められない。
　上記相違点（４）についてみるに、
例えば、上記した刊行物６に記載された発明には、
「表示部を備える第１基板と、該第１基板と電気的に接続され外部接続端子を背面側に搭載した第２基板と、を備えた表示装置」という構成が、認められるから、
接続に関わる部材として、「外部接続端子」を用いること自体は、従来周知の構成にすぎない。
　また、例えば、上記した刊行物４に記載された発明には、
「パチンコ機の背面側に設けられ、表示装置７など遊技の制御を行う制御装置と、遊技盤の背面側に設けられ所定の図柄を表示する表示部を備えるカセット１５と、カセット１５に設けられ前記表示部と電気的に接続されて液晶駆動回路１６並びに前記制御装置と接続する外部接続端子と、を備え、
　前記遊技盤の表面側には表示窓を有する表示装置７を設け、該表示装置７は取付板に連続して設けた縮径する遮蔽板により凹所を形成すると共に該凹所に表示窓を設け、
　前記表示窓の背面側と前記カセット１５の表示部の前面との間には、透光性のカバー部材が設けられたパチンコ機」という構成が、認められるから、
パチンコ機の分野においても、接続に関わる部材として、「外部接続端子」を用いること自体は、従来周知の構成にすぎない。又、
　そうすると、
例えば、刊行物４及び６に記載された各発明もそうなっている従来周知の構成の存在の基に、後者の接続に関わる部材である「接続線」を、「外部接続端子」とすることは、当業者が格別創意工夫を要することではないというべきである。
　又、上記相違点（４）の前者の効果が、後者並びに例えば刊行物２，４及び６に記載された各発明もそうなっている従来周知の構成の各効果の総和以上の格別なものとも認められない。
　上記相違点（５）についてみるに、
刊行物８に記載された発明の
「プレイヤー」、「ボールシュータ５０」、「プレイフィールドＰ」、「ゲーム」、「コンピュータシステム１２０」、「ＣＰＵ１２８’」及び「ピンボールゲーム機の音発生システム」
がそれぞれの機能に照らし、それぞれ
前者の
「遊技者」、「発射装置」、「遊技盤」、「遊技」、「制御装置」、「マイクロコンピュータ」及び「処理部」
に相当するものと認められるから、
刊行物８に記載された発明には、
「遊技者が発射装置で弾発した打球により遊技盤上で遊技を行う制御装置を備えるピンボール遊技機において、
　遊技の制御を行う制御装置と、マイクロコンピュータを有し、前記制御装置からのデータに基づいて音発生に関する制御を行う処理部と、を備えたピンボール遊技機」という構成が、
又、
刊行物９に記載された発明の
「ゲーム」、「ゲーム回路」、「画像」、「ビデオディスプレイ」、「中央処理装置（ＣＰＵ）１０」及び「ビデオプロセッサ回路」
がそれぞれの機能に照らし、それぞれ
前者の
「遊技」、「制御装置」、「所定の図柄」、「表示部」、「マイクロコンピュータ」及び「処理部」
に相当するものと認められるから、
刊行物９に記載された発明には、
「遊技を行う制御装置を備えるピンボール遊技或いはスロット遊技等の遊技用ビデオプロセシングアーキテクチャにおいて、
　遊技の制御を行う制御装置と、所定の図柄を表示する表示部と、マイクロコンピュータを有し、前記制御装置からのデータに基づいて所定の図柄表示に関する制御を行う処理部と、を備えたピンボール遊技或いはスロット遊技等の遊技用ビデオプロセシングアーキテクチャ」という構成が、
それぞれ備わっているものと認められる。
　すなわち、
刊行物９に記載された発明には、
上記相違点（５）の前者の、表示装置に関わる部材が「所定の図柄表示に関する制御を行うマイクロコンピュータを有する処理部である」という構成が備わっているものと認められる。
　そうすると、
刊行物９に記載された発明の「ビデオプロセシングアーキテクチャ」は、これがピンボール遊技或いはスロット遊技等の遊技用のものである以上、所定条件の成立により遊技者に有利となる遊技を行うものであることは自明であり、したがって、所定条件の成立により遊技者に有利な入賞態様を付与する遊技を行う後者の「パチンコ機」と同様の技術分野のものであると認められること、及び、
ビデオ遊技機ではなく且つ遊技盤を備える遊技機において、「マイクロコンピュータを有する処理部」を備えるということが刊行物８に記載された発明にも備わっているように公知であると認められること、を勘案し、
刊行物８に記載された発明の存在の基に、ビデオ遊技機ではなく且つ遊技盤を備える遊技機である後者に、刊行物９に記載された発明を適用し、後者の表示装置に関わる部材である「所定の図柄表示を行うドライバ（ＩＣ）」に代え、刊行物９に記載された発明の表示装置に関わる部材である「所定の図柄表示に関する制御を行うマイクロコンピュータを有する処理部」を採用することは、当業者が格別創意工夫を要することではないというべきである。
　又、上記相違点（５）の前者の効果が、後者並びに刊行物８及び９に記載された各発明の各効果の総和以上の格別なものとも認められない。
　上記相違点（６）についてみるに、
要するにこの点は、
「取付板」と「遮蔽板」とが、一部材から構成されている、いない、という相違であるものと認められるところ、このような相違は、例えば、上記した刊行物４に記載された発明では一部材から構成され、上記した刊行物５に記載された発明では二部材から構成されており、どちらも周知の構成であるので、当業者が必要に応じて適宜採用し得る単なる設計事項にすぎない。
　上記相違点（７）についてみるに、
要するにこの点は、
「カバー部材」が「表示部」側に設けられているか、「表示窓」側に設けられているか、という相違であるものと認められるところ、このような相違は、例えば、上記した刊行物７には、「表示部の前面に透光性のカバー部材を設け」る構成が、
又、
刊行物１０に記載された発明の
「窓部３ｉ」、「表示器５」、「半透明なプレート４」及び「パチンコ遊技機」
がそれぞれの機能に照らし、それぞれ
前者の
「表示窓」、「表示部」、「透光性のカバー部材」及び「パチンコ機」
に相当するものと認められるから、
刊行物１０に記載された発明には、
「表示窓に透光性のカバー部材を設け」る構成が、
それぞれ有ることからも理解されるように、当業者が必要に応じて適宜採用し得る単なる設計事項にすぎない。
（４）むすび
　上記のとおり、本件発明は、上記刊行物１、６〜９に記載された各発明、及び従来周知の構成に基づいて当業者が容易に発明をすることができたものであるから、本件発明についての特許は、特許法第２９条第２項の規定に違反してされたものである。
　したがって、本件発明についての特許は、特許法第１１３条第２号に該当し、取り消されるべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月２３日（２００２．８．２３）
【訂正の要旨】
訂正の要旨
ア・訂正事項ａ
　「【請求項１】遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　パチンコ機の背面側に設けた制御装置と、遊技盤の背面側に設けた所定の図柄を表示する表示部を備える第１基板と、遊技盤の背面側に設けられ前記第１基板と電気的に接続されてマイクロコンピュータ並びに前記制御装置と接続する外部接続端子を背面側に搭載した処理部を設けた第２基板と、を備え、
　前記遊技盤の表面側には、遮蔽板により取付基板に凹所を形成すると共に該凹所に表示窓を有するセンター役物を設け、
　前記表示窓の背面側には、前記第１基板の表示部が臨むようにしたことを特徴とするパチンコ機。
　【請求項２】前記制御装置はマイクロコンピュータ及びＲＯＭを備え、前記処理部は前記制御装置からデータを割込に基づいて入力するようにしたことを特徴とする請求項１に記載のパチンコ機。」とある特許請求の範囲の記載を、特許請求の範囲の記載の減縮を目的として、
「【請求項１】遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　パチンコ機の背面側に設けられ、センター役物、電子音発生回路、ランプ表示器など遊技の制御を行う制御装置と、遊技盤の背面側に設けられ所定の図柄を表示する表示部を備える第１基板と、遊技盤の背面側に設けられ前記第１基板と電気的に接続されてマイクロコンピュータ並びに前記制御装置と接続する外部接続端子を背面側に搭載し、該外部接続端子を介して前記制御装置からのデータに基づいて所定の図柄表示に関する制御を行う処理部を設けた第２基板と、を備え、
　前記遊技盤の表面側には表示窓を有するセンター役物を設け、該センター役物は取付板に連続して設けた縮径する遮蔽板により凹所を形成すると共に該凹所に表示窓を設け、
　前記表示窓の背面側には、前記第１基板の表示部の前面に設けた透光性のカバー部材が臨むようにしたことを特徴とするパチンコ機。
　【請求項２】前記制御装置はマイクロコンピュータ及びＲＯＭを備え、前記処理部は前記制御装置からデータを割込に基づいて入力するようにしたことを特徴とする請求項１に記載のパチンコ機。」と訂正する。
イ・訂正事項ｂ
　明細書の段落【０００４】の記載について、
「・・・パチンコ機の背面側に設けた制御装置と、遊技盤の背面側に設けた所定の図柄を表示する表示部・・・外部接続端子を背面側に搭載した処理部・・・遊技盤の表面側には、遮蔽板により取付基板に凹所を形成すると共に該凹所に表示窓を有するセンター役物を設け、前記表示窓の背面側には、前記第１基板の表示部が臨むようにした・・・」とあるのを、明りょうでない記載の釈明を目的として、
「・・・パチンコ機の背面側に設けられ、センター役物、電子音発生回路、ランプ表示器など遊技の制御を行う制御装置と、遊技盤の背面側に設けられ所定の図柄を表示する表示部・・・外部接続端子を背面側に搭載し、該外部接続端子を介して前記制御装置からのデータに基づいて所定の図柄表示に関する制御を行う処理部・・・遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした・・・」と訂正する。
ウ・訂正事項ｃ
　明細書の段落【００２１】の記載について、
「・・・パチンコ機の背面側に設けた制御装置と、遊技盤の背面側に設けた所定の図柄を表示する表示部・・・外部接続端子を背面側に搭載した処理部・・・遊技盤の表面側には、遮蔽板により取付基板に凹所を形成すると共に該凹所に表示窓を有するセンター役物を設け、前記表示窓の背面側には、前記第１基板の表示部が臨むようにした・・・」とあるのを、明りょうでない記載の釈明を目的として、
「・・・パチンコ機の背面側に設けられ、センター役物、電子音発生回路、ランプ表示器など遊技の制御を行う制御装置と、遊技盤の背面側に設けられ所定の図柄を表示する表示部・・・外部接続端子を背面側に搭載し、該外部接続端子を介して前記制御装置からのデータに基づいて所定の図柄表示に関する制御を行う処理部・・・遊技盤の表面側には表示窓を有するセンター役物を設け、該センター役物は取付板に連続して設けた縮径する遮蔽板により凹所を形成すると共に該凹所に表示窓を設け、前記表示窓の背面側には、前記第１基板の表示部の前面に設けた透光性のカバー部材が臨むようにした・・・」と訂正する。
（５４）【発明の名称】
パチンコ機
（５７）【特許請求の範囲】
　【請求項１】　遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、
　パチンコ機の背面側に設け
られ、センター役物、電子音発生回路、ランプ表示器など遊技の制御を行う
られ
、該外部接続端子を介して前記制御装置からのデータに基づいて所定の図柄表示に関する制御を行う
　前記遊技盤の表面側には
表示窓を有するセンター役物を設け、該センター役物は取付板に連続して設けた縮径する
を
　前記表示窓の背面側には、前記第１基板の表示部
の前面に設けた透光性のカバー部材
　【請求項２】　前記制御装置はマイクロコンピュータ及びＲＯＭを備え、前記処理部は前記制御装置からデータを割込に基づいて入力するようにしたことを特徴とする請求項１に記載のパチンコ機。
【発明の詳細な説明】
　【０００１】
　【発明の属する技術分野】
　この発明は、表示装置に各種図柄や文字などの表示態様を表示することのできるパチンコ機に関するものである。
　【０００２】
　【従来の技術】
　周知のように、パチンコ機には、遊技者に遊技状態を可視表示するためや装飾のために多くの表示装置が設けてある。従来の表示装置としては、例えば７セグメントの発光ダイオードの発光部位の組合せにより数字または英文字を表示態様として表示するいわゆるデジタル表示器があり、また回転ドラムの外面に複数の図柄や文字などを描き、表示窓に上記図柄などの一つを臨ませ、上記ドラムの回転により図柄などの表示態様を変化させる回転ドラム表示器などがある。更に、表示素子として発光ダイオードを縦横例えば５×７個配設し、発光部位を選択して表示するマトリクス表示器がある。
　そして、上記デジタル表示器や回転ドラム表示器あるいはマトリクス表示器を複数個連設して各表示を組合せるようにしたものもある。
　【０００３】
　【発明が解決しようとする課題】
　ところで、従来の表示装置は、マイクロコンピュータを備える制御装置によって表示する表示態様を制御している。しかし、従来の制御装置は、表示装置の表示素子を制御すると共に、センター役物等に設けた継続スイッチや１０カウントスイッチ、始動口スイッチ、駆動ソレノイド、或は効果音や表示灯などのパチンコ機全般に亙る制御を行わなければならず、マイクロコンピュータの作業容量は限界に近付いており、複雑な表示態様の表示や高速な処理を実行できない現状にあった。
　また、表示装置を含めて一つの制御装置で行うと、制御装置が大型化して取り扱いが面倒になると共に、配線が複雑となり、複雑化した配線が他の部品の邪魔になる。しかも、パチンコ機では一般にセンター役物が後方へ突出しているため、制御装置が大型化すると取付スペースの自由度が小さくなってしまい取付が困難である。
　更に、表示装置の制御に関する部分に故障や変更が生じた場合でも、制御装置全体を交換しなければならない。一方、遊技の制御に関する部分に故障や変更が生じた場合には、表示装置に関する部分も含めて交換しなければならない。従って、無駄が多く、コストが嵩んでいる。
　本発明は上記に鑑み提案されたもので、センター役物及び表示装置のユニット化及びコンパクト化が可能なパチンコ機を提供することを目的とする。
　【０００４】
　【課題を解決するための手段】
　上記目的を達成するため請求項１に記載した発明は、遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、パチンコ機の背面側に設け
られ、センター役物、電子音発生回路、ランプ表示器など遊技の制御を行う
られ
、該外部接続端子を介して前記制御装置からのデータに基づいて所定の図柄表示に関する制御を行う
表示窓を有するセンター役物を設け、該センター役物は取付板に連続して設けた縮径する
を
の前面に設けた透光性のカバー部材
　請求項２に記載した発明は、請求項１に記載したパチンコ機の構成に加えて、前記制御装置はマイクロコンピュータ及びＲＯＭを備え、前記処理部は前記制御装置からデータを割込に基づいて入力するようにしたものである。
　【０００５】
　【発明の実施の形態】
　以下、本発明を図面の実施の形態について説明する。本発明に係るパチンコ機に用いる表示装置１は、第１基板２と第２基板３とを有し、第１基板２の前面には表示基板４を添設し、第２基板３には、パチンコ遊技の制御を行う第１の制御装置から単一方向にのみ送られるデータに基づいて複数の図柄を変動表示可能な第２の制御装置、即ちサブＭＣＵ（マイクロコンピュータユニット）５を有する表示処理部６を形成する。この表示処理部６では、前記第１の制御装置より不可逆的に送られるデータに基づいて図柄に変換する処理が実行される。
　【０００６】
　第１基板２の前後表面にはプリント配線を適宜施すと共に、後面にはトランジスタ、抵抗などのチップ素子７…を配設して電気回路（主としてドライブ回路）を形成し、周縁部には例えば雄型コネクタ８を配置する。
　【０００７】
　表示基板４は、例えば２０×２０ｍｍ程度の基板であって、この表示基板４の表面に縦横１０×１０個のレンズ部を備えない裸のＬＥＤ素子９を配列する。尚、図１の実施の形態では表示基板４の前面に透光性のあるカバー部材１０を被着している。また、このカバー部材１０に着色することもできる。
　【０００８】
　一方、第２基板３の前後面にはチップ素子７及びサブＭＣＵ５や水晶発振子１１などを配設して表示処理部６となる電気回路を形成し、周縁には雌型コネクタ１２を配置し、この雌型コネクタ１２と前記第１基板２の雄型コネクタ８とを接続する。従って、表示処理部６が表示基板４の裏面側に位置し、第２の制御装置が背面側に設けられた表示装置１となる。尚、図面の実施の形態によれば、第１基板２と第２基板３とを背中合せに両コネクタ８、１２を接合し、支柱１３を介して固定するようになっているが、ケーブルを介して接続するようにしてもよい。
　【０００９】
　また、第２基板３の一縁には外部接続端子１４を設けて、この外部接続端子１４を介してパチンコ機１５の遊技制御を行う第１の制御装置１６に接続可能とする。
　【００１０】
　上記のような表示装置１は、表示処理部６を含めて例えば９０×４５×２５ｍｍ以内に構成でき、一つの表示基板４について１０×１０ドットの図柄表示が可能である。
　【００１１】
　本発明において表示装置１は、例えば図４に示すようなブロック回路を有する第１の制御装置１６によって制御される。そして、本発明では表示装置１に第２の制御装置となる表示処理部６を形成して、第１の制御装置１６におけるメインＭＣＵ１７の負担を軽減させると共に、配線接続を極めて簡単にしている。即ち、メインＭＣＵ１７にはセンター役物１８などに設けた継続スイッチ１９、１０カウントスイッチ２０、始動口スイッチ２１、駆動ソレノイド２２、あるいは電子音発生回路２３、ランプ表示器２４などパチンコ遊技の制御を受け持たせる一方、表示装置１の背面側に設けた表示処理部６のサブＭＣＵ５には第１の制御装置１６から受信するデータに基づいて、表示基板４に配列した各ＬＥＤ素子９の制御を受け持たせて、表示装置１に所定の図柄、文字などの表示態様を表示させるのである。
　【００１２】
　尚、本実施の形態では、ノイズによる暴走を防ぐためにリアルタイムリセット方式を採用し、タイマ回路を省略してメインＭＣＵ１７からリセット信号を受け取り、８ビットデータを４ビットに分割して２度転送することにより接続本数を減少している。そして、本発明によれば、データ４本、電源２本、リセット１本、割込１本、制御信号（８ビットの上下、明暗、桁選択）３本の計１１本の配線で足りるが、従来のようにメインＭＣＵ１７に頼る場合には少なくとも４０本の配線が必要である。また、表示装置１の各ＬＥＤ素子９をメインＭＣＵ１７で制御する場合には処理時間が長くなって表示がチラ付いて見難いものになってしまう。
　【００１３】
　そして、表示装置１の背面側に設けた第２の制御装置としての表示処理部６では図５のフローチャートに示すように、Ｉ／Ｏポートを初期化し、リセット信号をパワーオンによるリセットか割込によるリセットかを判定し、ラム（ＲＡＭ）を初期化し、ノンマスカブルイントラプト（ＮＭＩ）により入力された上下４ビットデータを８ビットデータに変換し、フリーランニングカウンタをリセットし、上記８ビットデータを図柄データに変換して、各ポートに明暗情報として出力し、各表示基板４のＬＥＤ行をスキャンするためのデータを更新し、例えば横行を１０回スキャンし、フリーランニングカウンタが８１９より大きい時はジャンプさせて１回の発光時間を８１９μＳとする。一方、ＮＭＩでは割込データを対応するメモリに格納して復帰する。
　【００１４】
　尚、ＬＥＤスキャン処理を上の行から順番に行なわず、例えば、上段から１−３−５−７−９−２−４−６−８−１０と交互に表示すれば、遊技者の目の残像現象により全体の図柄が見易くなる。
　【００１５】
　図６ないし図７は上記のような表示装置を組み込んだセンター役物１８の一例である。
　【００１６】
　センター役物１８は、取付板２５の中程に横に並ぶ３つの表示窓２６を有し、各表示窓２６には前記表示基板４が臨む。表示窓２６と表示基板４との間には、表示基板４側を縮径させた遮蔽板２７を上記取付板２５から連続して設ける。尚、上記センター役物１８の表示窓２６の上側には、天入賞口２８及び天下入賞口２９を設け、該天入賞口２８及び天下入賞口２９の前面に透光性のある化粧板３０を添設し、該化粧板３０の裏側にはランプ基板３１に取付けたランプ３２を臨ませる。また、上記各入賞口２８、２９には球通路３３、３４を夫々連設する。
　【００１７】
　表示窓２６の下側には、発光ダイオードからなる１０カウント表示部３５、継続球表示部３６、記憶個数表示部３７を設ける。
　【００１８】
　上記のようなセンター役物１８を配設したパチンコ機１５における遊技の一例は、遊技者が発射装置３８で弾発した打球が遊技盤１５′に設けた始動口３９に入賞し、始動口スイッチ２１をオンして特別遊技が開始し、センター役物１８で表示する図柄が高速で変換し、遊技者がタッチスイッチ４０を操作して変換を停止したときの図柄の組み合せにより大入賞口４１を開放する。このように、特別遊技の表示に本発明における表示装置１を使用すれば、制御装置１６のメインＭＣＵ１７の負担が軽減されて高速処理が可能になり、従来の表示器に比べきめ細かな表示が可能になると共に配線や制御が簡単になる。
　【００１９】
　また、本発明によれば、表示素子を第１の制御装置から第２の制御装置へ向けて一方向へ送られるデータに基づいて第２の制御装置によって制御するので、表示装置で表示する図柄を流動的に表示することが容易であって、従来にない新鮮な表示が可能となる。
　【００２０】
　以上、本発明を図示の実施の形態について説明したが、本発明は上記した実施の形態に限定されるものではなく、特許請求の範囲に記載の構成を変更しない限り適宜実施できる。
　【００２１】
　【発明の効果】
　本発明によれば、遊技者が発射装置で弾発した打球が遊技盤に設けられた始動口における球の検出に基づいて図柄を変動させ、所定条件の成立により遊技者に有利な入賞態様を付与する遊技を行う制御装置を備えるパチンコ機において、パチンコ機の背面側に設け
られ、センター役物、電子音発生回路、ランプ表示器など遊技の制御を行う
られ
、該外部接続端子を介して前記制御装置からのデータに基づいて所定の図柄表示に関する制御を行う
表示窓を有するセンター役物を設け、該センター役物は取付板に連続して設けた縮径する
を
の前面に設けた透光性のカバー部材
【図面の簡単な説明】
　【図１】
　前面側から見た表示装置の分解斜視図である。
　【図２】
　後面側から見た表示装置の分解斜視図である。
　【図３】
　表示装置に設けた回路のブロック図である。
　【図４】
　制御装置のブロック図である。
　【図５】
　表示処理部におけるフローチャートである。
　【図６】
　表示装置を設けたセンター役物の正面図である。
　【図７】
　表示装置を設けたセンター役物の縦断面図である。
　【図８】
　表示装置を設けたセンター役物を配設した遊技盤の正面図である。
　【図９】
　パチンコ機の背面図である。
　【符号の説明】
　　１　表示装置
　　５　サブＭＣＵ
　　６　表示処理部
　　９　表示素子
　１５　パチンコ機
　１６　制御装置
　１７　メインＭＣＵ